(57)【特許請求の範囲】
【請求項１】
自立するための接地面を備えた底部に、この底部を２つに分割するようにパーティングラインが形成された合成樹脂製の押し出しブロー成形容器において、
前記パーティングラインが、前記底部の最外縁と当該底部の二等分線との交点を基点として、これら交点に係る線分の中点を基準に、前記交点から当該線分の中点に向かうに従って当該中点から遠ざかるように一方向に偏心したものであることを特徴とする合成樹脂製の押し出しブロー成形容器。
【請求項２】
請求項１において、底部に形成されるパーティングラインが一方向に湾曲した形状であることを特徴とする合成樹脂製の押し出しブロー成形容器。
【請求項３】
押出し機から押出されたパリソンを用いて、合成樹脂製容器をブロー成形するに際し、
パリソンの底部を２つの型で挟むことで合成樹脂製容器を自立させるための接地面を備えた底部を形成する合成樹脂製の押し出しブロー成形容器の製造方法において、
パリソンの底部を挟む２つの型の合わせ面を、合成樹脂製容器の底部の最外縁と当該底部の二等分線との交点を基点として、これら交点に係る線分の中点を基準に、前記交点から当該線分の中点に向かうに従って当該中点から遠ざかるように一方向に偏心させたことを特徴とする、合成樹脂製の押し出しブロー成形容器の製造方法。
【請求項４】
請求項３において、前記合わせ面を曲線状にしたことを特徴とする、合成樹脂製の押し出しブロー成形容器の製造方法。
【発明の詳細な説明】
【技術分野】
【０００１】
本発明は、例えば、吸上げチューブを備えたポンプを装着して使用する合成樹脂製の押し出しブロー（ダイレクトブロー）成形容器と、その製造方法に関するものである。
【背景技術】
【０００２】
吸上げチューブを備えたポンプを装着して使用する容器には、内容物を無駄なく注出させることを目的として、容器の底部隅に傾斜を付けたものがある（例えば、特許文献１参照）。
【特許文献１】特開２００８−３７４７６号公報
【発明の開示】
【発明が解決しようとする課題】
【０００３】
しかしながら、上述した構成の容器では、内容物が残り少なくなったときに容器そのものを傾けなければならない。このため、ポンプが存在するにもかかわらず、使用者に煩雑な操作を強いることになる。
【０００４】
また、かかる構成の容器は、底部隅そのものを傾斜させていることから、従来と同様の接地面積を確保しようとすると、容器の横幅を広くする必要が生じる。このように、容器の横幅が広くなると、流通経路に載せた場合や、商品として陳列する場合において不利である。
【０００５】
本発明の目的とするところは、容器の取り扱いを煩雑化させることなく、容器内に残った内容物を効率的に吐出することができる新規な合成樹脂製の押し出しブロー成形容器と、その製造方法を提供することにある。
【課題を解決するための手段】
【０００６】
本発明である、合成樹脂製の押し出しブロー成形容器は、自立するための接地面を備えた底部に、この底部を２つに分割するようにパーティングラインが形成された合成樹脂製の押し出しブロー成形容器であって、前記パーティングラインが、前記底部の最外縁と当該底部の二等分線との交点を基点として、これら交点に係る線分の中点を基準に、前記交点から当該線分の中点に向かうに従って当該中点から遠ざかるように一方向に偏心したものであることを特徴とする。
【０００７】
この場合、容器の底部は、後述のように、押し出しブロー成形に起因する作用効果により、必然的に、パーティングラインの偏り側が厚肉になると共に、パーティングラインの偏り側から遠ざかるに従って薄肉になるように偏肉する。このため、底部の内面はパーティングラインの偏り側から遠ざかるに従って緩やかに傾斜する面となる。
【０００８】
即ち、本発明である、合成樹脂製の押し出しブロー成形容器によれば、充填された内容物は、パーティングラインの偏り側から遠ざかる側に集中することになる。
【０００９】
また、本発明は、円筒形状の容器や、多角形状の容器に適用することができる。
【００１０】
例えば、本発明に従う容器が円筒形状である場合、パーティングラインとしては、底部の直径部分の両端を基点として、これら両端に係る線分を基準としたとき、かかる両端から当該線分の中点に向かうに従って当該中点から遠ざかるように一方向に湾曲した曲線状のものや、この直径部分を平行移動させたときのその両端を基点として、当該直径部分と平行な直線状のものや、この直径部分を平行移動させたときのその両端を基点として、当該両端に係る線分の中点に向かうに従って当該中点から底部の二等分線よりも更に遠ざかるように湾曲する曲線状のもの、或いは、前記曲線に換えて複数の直線（Ｖ字状など）で構成したものなどが挙げられる。
【００１１】
また、本発明に従う容器が多角形状である場合、特に、多角形状が偶数角であるときは、本発明に係る二等分線として、その対角を採用することが好ましいが、本発明に従えば、かかる二等分線として、対辺を二分する線分を採用してもよい。
【００１２】
また、本発明の如く、押し出しブロー成形容器のパーティングラインを、一方向に湾曲した形状とすれば、底部の内面は、必然的に、底部の二等分線に対して偏心した最深部を有する、すり鉢状の形状となる。
【００１３】
また、かかる押し出しブロー成形容器の製造方法としては、押出し機から押出されたパリソンを用いて、合成樹脂製容器をブロー成形するに際し、パリソンの底部を２つの型で挟むことで合成樹脂製容器を自立させるための接地面を形成するに際し、パリソンの底部を挟む２つの型の合わせ面を、合成樹脂製容器の底部の最外縁と当該底部の二等分線との交点を基点として、これら交点に係る線分の中点を基準に、前記交点から当該線分の中点に向かうに従って当該中点から遠ざかるように一方向に偏心させる。こうした製造方法を採用すれば、底部の内面は、必然的に、パーティングラインの偏り側から遠ざかるに従って緩やかに傾斜する面となる。
【００１４】
こうした製造方法を採用するにあたっては、前記合わせ面を曲線状にすることが好ましい。こうした製造方向を採用すれば、必然的に、底部の内面が、底部の二等分線に対して偏心した最深部を有する、すり鉢状に形成される。
【発明の効果】
【００１５】
本発明である、合成樹脂製の押し出しブロー成形容器によれば、底部の内面は、必然的に、パーティングラインの偏り側から遠ざかるに従って緩やかに傾斜する面となる。このため、充填された内容物は、パーティングラインの偏り側から遠ざかる側に集中することになる。従って、吸上げチューブの先端をパーティングラインの偏り側から遠い位置に配置すれば、容器そのものを傾けることなく、残った内容物を注出することができる。
【００１６】
従って、本発明によれば、容器の取り扱いを煩雑化させることなく、容器内に残った内容物を効率的に注出することができる。
【００１７】
また、本発明の如く、押し出しブロー成形容器のパーティングラインを、一方向に湾曲した形状とすれば、底部の内面は、必然的に、底部の二等分線に対して偏心した最深部を有する、すり鉢状の形状となる。この場合、残った内容物を効率的に集めることができる。
【００１８】
また、本発明である、押し出しブロー成形容器によれば、パーティングラインを目視するだけで薄肉部の位置を判別できる。このため、吸上げチューブを組み付ける際の当該チューブの位置決めも容易に行うことができる。
【００１９】
また、本発明の製造方法によれば、パリソンの底部を挟む２つの型の合わせ面を、合成樹脂製容器の底部の二等分線に対して偏心させることで、底部に対する占有面積が小さい型での延伸量が抑えられる一方で、底部に対する占有面積の大きい型での延伸量が大きくなる。このため、パーティングラインの偏り側から遠ざかるに従って緩やかに傾斜する底部の内面を容易に形作ることができる。
【００２０】
従って、本発明の製造方法を用いれば、従来の成形機を用いて、型を変更するだけの簡単な作業で、本発明である容器を製造することができる。
【００２１】
また、本発明の製造方法において、前記合わせ面を曲線状にすれば、底部の二等分線に対して偏心して内容物を効率的に集め易いすり鉢状の内面を容易に形作ることができる。
【発明を実施するための最良の形態】
【００２２】
以下、図面を参照して、本発明である、合成樹脂製容器を詳細に説明する。
【００２３】
図1(a),(b)はそれぞれ、本発明の一形態である、合成樹脂製のダイレクトブローボトル（以下、「ボトル」という）1を採用したポンプ付きボトル10を一部断面で示す側面図及び、その底面図である。
【００２４】
ボトル1は、円筒形であって、ポンプＰが装着される口部壁2と、この口部壁2に肩部壁3を介して繋がる胴部壁4と、この胴部壁4を閉じる底部壁5とで形作られている。また、ボトル1は、その底部壁5に接地面5gを有し、ボトル1そのものを自立させることができる。
【００２５】
底部壁5の内面（以下、「底部壁内面」という）5fは、図1(a)に示すように、口部壁2の内面2f、肩部壁3の内面3f及び胴部壁4の内面4fと共に、ボトル1の内側に、内容物を充填するための空間Ｒを形成する。
【００２６】
本発明に従えば、ボトル1のパーティングラインＰLを、底部壁5の二等分線Ｌoに対して偏心させるが、本形態では、図1(b)に示すように、底部壁5の直径が底部壁5の二等分線Ｌo（=Ｌo'）としてなる。このため、パーティングラインＰLは、当該直径部分を通る二等分線Ｌo'に対して偏心している。
【００２７】
また、本発明に従えば、ボトル1のパーティングラインＰLは、底部壁5の二等分線Ｌo'に対して偏心させればよいが、本形態のパーティングラインＰLは、図1(b)に示すように、底部壁5の最外縁と底部壁5の二等分線Ｌo'との交点Ｐ1,Ｐ2を基点として、交点Ｐ1,Ｐ2に係る線分の中点（本形態では、ボトル軸線Ｏ）を基準に、交点Ｐ1,Ｐ2から中点Ｏに向かうに従って当該中点Ｏから遠ざかるように一方向に湾曲した曲線状のものとなっている。
【００２８】
この場合、底部壁内面5fは、後述のように、押し出しブロー成形に起因する作用効果により、必然的に、図1(b)に示すように、二等分線Ｌo'と直交する他の二等分線Ｌo''に沿って、パーティングラインＰLの偏り側が厚肉（厚みｔ2）になると共に、パーティングラインの偏り側から遠ざかるに従って薄肉（厚みｔ1(＞ｔ2)）になるように偏肉する。このため、底部壁内面5fは、図1(a)に示すように、必然的に、パーティングラインＰLの偏り側から遠ざかるに従って緩やかに傾斜する面となる。
【００２９】
特に、本形態の如く、パーティングラインＰLを、一方向に湾曲した形状とすれば、底部壁内面5fは、必然的に、底部壁5の二等分線Ｌo'に対して偏心した最深部51を有する、すり鉢状の形状となる。
【００３０】
即ち、本形態のボトル1によれば、充填された内容物は、パーティングラインＰLの偏り側から遠ざかる側に集中することになる。なお、符号52は、接地面5g側に形成された底上げ部である。このため、本形態の接地面は、実質上環状を形成する。
【００３１】
本形態のボトル1によれば、図1(a)に示すように、底部壁内面5fは、パーティングラインＰLの偏り側から遠ざかるに従って緩やかに傾斜する面となる。このため、充填された内容物は、パーティングラインＰLの偏り側から遠ざかる側の薄肉壁51に集中することになる。従って、吸上げチューブＴの先端（以下、「チューブ先端」という）ＴeをパーティングラインＰLの偏り側から遠い位置（薄肉壁51）に配置すれば、ボトル1そのものを傾けることなく、残った内容物を吐出することができる。
【００３２】
従って、本形態によれば、ボトル1の取り扱いを煩雑化させることなく、ボトル1内に残った内容物を効率的に注出することができる。
【００３３】
また、本形態の如く、ボトル1のパーティングラインＰLを、一方向に湾曲した形状とすれば、底部壁内面5fは、必然的に、底部壁5の二等分線Ｌo'に対して偏心した最深部を有する、すり鉢状の形状となる。この場合、残った内容物を効率的に集めることができる。
【００３４】
ところで、本形態のボトル1は、押し出しブロー成形ボトルである。
【００３５】
通常の押し出しブロー成形ボトルの場合、底部5に形成されるパーティングラインＰLは、底部壁5の二等分線Ｌo'と同一線上に存在するのに対し、本形態のボトル1は、上述のように、そのパーティングラインＰLが、底部壁5の二等分線Ｌo'に対して偏心している。
【００３６】
本形態のボトル1のように、パーティングラインＰLが底部壁5の二等分線Ｌo'に対して偏心している場合、パーティングラインＰLを目視するだけで薄肉壁51の位置を判別できる。このため、吸上げチューブＴを組み付ける際の当該チューブ先端Ｔeの位置決めも容易に行うことができる。
【００３７】
ここで、ボトル1の製造方法の概略を説明する。図2は、ボトル1の製造にあたって用いられる合わせ型の要部を模式的に示す側面図である。
【００３８】
ボトル1の製造にあたっては、押出し機から押出されたパリソンの底部を２つの型Ｍ1,Ｍ2で挟むと共に、当該パリソンを２つの型Ｍ1,Ｍ2で形作られた空間（キャビティ）に配置する工程と、この空間に配置されたパリソンの内部に空気を吹き込む工程とを有する。
【００３９】
本形態のボトル1を押し出しブロー成形するにあたって用いられる、合わせ型Ｍ1,Ｍ2は、図2に示すように、互いを合せたときに形成されるパーティングラインＰLが、底部壁5の二等分線Ｌo'に対して偏心する形状となる合わせ面Ｆ1,Ｆ2を有する。
【００４０】
かかる製造方法を用いれば、パリソンの底部を挟む２つの型Ｍ1,Ｍ2の合わせ面Ｆ1,Ｆ2を、ボトル1の底部壁5の二等分線Ｌo'に対して偏心させることで、底部5に対する占有面積が小さい型Ｍ2での延伸量が抑えられる一方で、底部5に対する占有面積の大きい型Ｍ1での延伸量が大きくなる。このため、パーティングラインＰLの偏り側から遠ざかるに従って緩やかに傾斜する底部壁内面5fを容易に形作ることができる。
【００４１】
従って、本発明の製造方法を用いれば、従来の成形機を用いて、型を変更するだけの簡単な作業で、本発明に従うボトル1を製造することができる。
【００４２】
また、本形態の如く、前記合わせ面Ｆ1,Ｆ2を曲線状にすれば、底部壁5の二等分線Ｌo'に対して偏心して内容物を効率的に集め易いすり鉢状の内面5fを容易に形作ることができる。
【００４３】
上述したところは、本発明の好適な形態を説明するものであるが、特許請求の範囲において、種々の変更を加えることができる。例えば、本形態のボトル1は、口部壁2に螺合するカバー30に対し、押し込み及び復帰可能に保持されたノズルヘッド31が取り付けられた蓄圧式ポンプＰを装着したものであるが、同ボトル1は、容器口部に吐出ノズルを装着したスクイズ吐出用のボトルとしても用いることができ、ボトル単体で使用しても良い。
【産業上の利用可能性】
【００４４】
本発明は、化粧品や医薬品の分野等に採用することができる。
【図面の簡単な説明】
【００４５】
【図１】(a),(b)はそれぞれ、本発明の一形態である、合成樹脂製の押し出しブロー成形ボトルを採用したポンプ付きボトルを一部断面で示す側面図及び、その底面図である。
【図２】同形態のボトルを製造するにあたって用いられる合わせ型の要部を模式的に示す側面図である。
【符号の説明】
【００４６】
1     押し出しブロー成形ボトル
2     ボトル口部壁
2f    ボトル口部壁内面
3     ボトル肩部壁
3f    ボトル肩部壁内面
4     ボトル胴部壁
4f    ボトル胴部壁内面
5     ボトル底部（底部壁）
5e    ボトル底部壁内面の外縁
5f    ボトル底部壁内面
30    カバー
31    ノズルヘッド
51    薄肉壁（底部）
Ｆ1,Ｆ2 合わせ面
Ｌo   底部の二等分線
Ｍ1,Ｍ2 型（合わせ型）
ＰL   パーティングライン
Ｐ    ポンプ
Ｐ1,Ｐ2 交点
Ｔ    チューブ
【図１】
0005122375.tif 000002
【図２】
0005122375.tif 000003